(57)【要約】【課題】下半身が不自由な場合でも容易に着用することができる防寒具を提供すること。【解決手段】上下が開口する筒状体１からなり、椅子に座った状態で下半身に着用して使用する防寒具において、筒状体１の上端から下端までの全長に亘って開放することができる開閉部２を形成するとともに、この開閉部２を接合するスライドファスナ３を設ける。【選択図】図１
0003129995.tif 000002
【実用新案登録請求の範囲】
【請求項１】
上下が開口する筒状体からなる下半身に着用して使用する防寒具において、筒状体の上端から下端までの全長に亘って開放することができる開閉部を形成するとともに、該開閉部を接合するスライドファスナを設けたことを特徴とする防寒具。
【請求項２】
筒状体の下部からフラップ状の底体を延設するとともに、該底体の縁部と筒状体の下部開口の縁部とを接合するスライドファスナを設けたことを特徴とする請求項１記載の防寒具。
【請求項３】
開閉部を接合するスライドファスナの閉じ終端位置と、底体の縁部と筒状体の下部開口の縁部とを接合するスライドファスナの閉じ終端位置とを隣接して設けたことを特徴とする請求項１又は２記載の防寒具。
【考案の詳細な説明】
【技術分野】
【０００１】
本考案は、下半身の保温に使用する防寒具に関し、特に身障者など車椅子の利用者に好適な防寒具に関するものである。
【背景技術】
【０００２】
従来、この種の防寒具として膝掛けが用いられており、略矩形状の膝掛けを椅子あるいは車椅子に着座した姿勢の脚の上に覆い被せることにより下半身を保温している。
しかし、この膝掛けのような防寒具では、膝の上に被せるだけで脚全体を覆いきれないことから、キルティング布を筒状にした専用の防寒具（例えば、特許文献１参照）が提案されている。
【０００３】
この防寒具は、下半身を挿入して使用するもので、上下が開口する筒状体からなり、筒状体の正面の上半をスライドファスナによって開閉可能に設けるとともに、背面の上半を臀部の下まで切り欠いている。
また、この防寒具は、筒状体の下部を折り返して面ファスナで止着することにより、筒状体の下部を開閉可能としている。
【０００４】
しかしながら、上記従来の防寒具では、筒状体の上半のスライドファスナを開いて、爪先側から履くように筒状体に下半身を挿入することから、背面の上半を臀部の下まで切り欠かなければ、車椅子の利用者が着用することは困難であるという問題があった。
また、この防寒具では、筒状体の下部を折り返したり伸ばしたりしなければ、筒状体の下部を開閉できないことから、靴を履いた場合に足を出しにくいという問題もあった。
【特許文献１】特開平１０−２９２２１２号公報
【考案の開示】
【考案が解決しようとする課題】
【０００５】
本考案は、上記従来の防寒具が有する問題点に鑑み、下半身が不自由な場合でも容易に着用することができる防寒具を提供することを目的とする。
【課題を解決するための手段】
【０００６】
上記目的を達成するため、本考案の防寒具は、上下が開口する筒状体からなる下半身に着用して使用する防寒具において、筒状体の上端から下端までの全長に亘って開放することができる開閉部を形成するとともに、該開閉部を接合するスライドファスナを設けたことを特徴とする。
【０００７】
この場合において、筒状体の下部からフラップ状の底体を延設するとともに、該底体の縁部と筒状体の下部開口の縁部とを接合するスライドファスナを設けることができる。
【０００８】
また、開閉部を接合するスライドファスナの閉じ終端位置と、底体の縁部と筒状体の下部開口の縁部とを接合するスライドファスナの閉じ終端位置とを隣接して設けることができる。
【考案の効果】
【０００９】
本考案の防寒具によれば、上下が開口する筒状体からなる下半身に着用して使用する防寒具において、筒状体の上端から下端までの全長に亘って開放することができる開閉部を形成するとともに、該開閉部を接合するスライドファスナを設けることにより、スライドファスナを開くことにより筒状体を上端から下端までの全長に亘って開放することができ、これにより、例えば、開いた筒状体を車椅子に敷いた状態で着座し、その後、体に巻いてスライドファスナを閉じることにより、下半身が不自由な場合でも容易に着用することができる。
【００１０】
また、筒状体の下部からフラップ状の底体を延設するとともに、該底体の縁部と下部開口の縁部とを接合するスライドファスナを設けることにより、筒状体の下部開口を容易に開閉することができ、これにより、下部開口を閉じて保温性を確保したり、下部開口を開いて靴を履いた足を出すことができる。
【００１１】
また、開閉部を接合するスライドファスナの閉じ終端位置と、底体の縁部と筒状体の下部開口の縁部とを接合するスライドファスナの閉じ終端位置とを隣接して設けることにより、ファスナのスライダや止具のセッティングを容易にするとともに、底体の開閉を連続する１本のスライドファスナで円滑に行うことができる。
【考案を実施するための最良の形態】
【００１２】
以下、本考案の防寒具の実施の形態を、図面に基づいて説明する。
【実施例１】
【００１３】
図１〜図４に、本考案の防寒具の一実施例を示す。
この防寒具は、上下が開口する筒状体１からなり、椅子に座った状態で下半身に着用して使用する。
そして、この防寒具は、筒状体１の上端から下端までの全長に亘って開放することができる開閉部２を形成するとともに、該開閉部２を接合するスライドファスナ３を設けている。
また、この筒状体１は、筒状体１の下部からフラップ状の底体４を一体に延設するとともに、該底体４の縁部と下部開口の縁部とを接合するスライドファスナ５を設けている。
【００１４】
筒状体１と底体４には、中綿に軽くて保温性の高い中空糸のポリエステル綿を用いたキルティング布が使用され、表生地は防水加工が施されるとともに、裏生地には暖かい綿起毛生地が用いられている。
筒状体１の胴回りは、筒状体１の両側に設けられ、面ファスナ６１を用いたアジャストベルト６により、自在に調節することができる。
筒状体１の正面には、大型のポケット７と、このポケット７の内側に設けられ、携帯電話等を入れる小さな内ポケット７１とが設けられている。
【００１５】
底体４は、幅約４０ｃｍ、奥行き約３０ｃｍの略四角形に形成されており、筒状体１の下部を立体的にするとともに、両脚がゆったり入るようになっている。
この底体４は、使用しないときは、図３に示すように、筒状体１の内側に折り込んで面ファスナ４１で留めることにより、筒状体１の裏面に貼着されるように面一に一体化する。
このように、底体４を面ファスナ４１で留めることにより、筒状体１の下部開口を開放し、靴を履いた足を外に出すことができる。
【００１６】
一方、筒状体１のスライドファスナ３は、本実施例では、筒状体１の右側部に設けられており、上端が閉じ開始位置３２、下端が閉じ終端位置３１となっている。
また、底体４のスライドファスナ５は、底体４の左側部の奥から前側を通って右側部の奥までコ字状に配設されており、左側部奥が閉じ開始位置５２、右側部奥が閉じ終端位置５１となっている。
本実施例では、筒状体１のスライドファスナ３を途中で湾曲させることにより、このスライドファスナ３の閉じ終端位置３１と、底体４のスライドファスナ５の閉じ終端位置５１とをほぼ同位置に隣接して設けている。
これにより、開閉部２のスライドファスナ３の閉じ開始位置３２を前寄りに設けてファスナのスライダや止具のセッティングを容易にするとともに、底体４の開閉を連続する１本のスライドファスナ５で円滑に行えるようにしている。
【００１７】
かくして、本実施例の防寒具によれば、上下が開口する筒状体１からなる下半身に着用して使用する防寒具において、筒状体１の上端から下端までの全長に亘って開放することができる開閉部２を形成するとともに、該開閉部２を接合するスライドファスナ３を設けることから、スライドファスナ３を開くことにより筒状体１を上端から下端までの全長に亘って開放することができ、これにより、例えば、開いた筒状体１を車椅子に敷いた状態で着座し、その後、体に巻いてスライドファスナ３を閉じることにより、下半身が不自由な場合でも容易に着用することができる。
【００１８】
そして、筒状体１の下部からフラップ状の底体４を延設するとともに、該底体４の縁部と下部開口の縁部とを接合するスライドファスナ５を設けることにより、筒状体１の下部開口を容易に開閉することができ、これにより、下部開口を閉じて保温性を確保したり、下部開口を開いて靴を履いた足を出すことができる。
【００１９】
また、開閉部２を接合するスライドファスナ３の閉じ終端位置３１と、底体４の縁部と筒状体１の下部開口の縁部とを接合するスライドファスナ５の閉じ終端位置５１とを隣接して設けることにより、ファスナのスライダや止具のセッティングを容易にするとともに、底体４の開閉を連続する１本のスライドファスナ５で円滑に行うことができる。
【００２０】
以上、本考案の防寒具について、その実施例に基づいて説明したが、本考案は上記実施例に記載した構成に限定されるものではなく、その趣旨を逸脱しない範囲において適宜その構成を変更することができる。
【産業上の利用可能性】
【００２１】
本考案の防寒具は、開いた筒状体を車椅子に敷いた状態で着座し、その後、体に巻いてスライドファスナを閉じることにより、下半身が不自由な場合でも容易に着用できるという特性を有していることから、不自由な下半身の防寒の用途に好適に用いることができるほか、健常な下半身の防寒の用途にも用いることができる。
【図面の簡単な説明】
【００２２】
【図１】本考案の防寒具の一実施例を示す使用状態の斜視図である。
【図２】同防寒具を伸ばした状態を示す斜視図である。
【図３】同防寒具の底体を畳んだ状態を示す斜視図である。
【図４】同防寒具を展開した状態を示す正面図である。
【符号の説明】
【００２３】
１    筒状体
２    開閉部
３    スライドファスナ
３１  閉じ終端位置
３２  閉じ開始位置
４    底体
４１  面ファスナ
５    スライドファスナ
５１  閉じ終端位置
５２  閉じ開始位置
６    アジャストベルト
６１  面ファスナ
７    ポケット
７１  内ポケット
【図１】
0003129995.tif 000003
【図２】
0003129995.tif 000004
【図３】
0003129995.tif 000005
【図４】
0003129995.tif 000006